(57)【要約】  マルチキャスト信号、ユニキャスト信号、または混成信号を受信するように構成されたＷＴＲＵ。マルチメディア信号は、ＭＢＭＳ（マルチメディア放送／マルチキャスト信号）であることが可能である。ＷＴＲＵは、ＭＢＭＳと混成信号の間で切り換わり、さらにＭＢＭＳと混成信号の間で切り換わる最適な時間を決定する。ＷＴＲＵは、適応型パターンまたは半静的パターンで、ＭＢＭＳを受信することと混成信号を受信することの間で切り換わる。ＭＢＭＳ専用セルにおけるフラットなＢＣＨ（ブロードキャストチャネル）構造が提供されて、Ｄ−ＢＣＨ（専用ブロードキャストチャネル）の必要性がなくなる。ＭＢＭＳ専用セルは、ページング標識とページングレコードブロックの両方に関して単一のページングチャネルを使用する。システム情報ブロードキャストが、柔軟なリソース使用量およびページングレコードブロック制限を示す。ＴＡ（トラッキング・エリア）／セルアソシエーションが、ＭＢＭＳ専用セル、および地理的に同じ場所に配置された非ＭＢＭＳ専用セルに関して提供される。ＭＢＭＳ専用セルシステム情報は、前記セル内でＭＢＭＳを受信している間にＷＴＲＵ動作を調整するようにブロードキャストされる。ＧＡＰ（汎用アクセスプロファイル）定義が、システム情報の一部である。
2010525759.tif 000002
【特許請求の範囲】
【請求項１】
ＬＴＥノードによって使用されるページングのための方法であって、
ＰＩ（ページング標識）の中で識別されるＷＴＲＵ（無線送受信ユニット）に対する着信呼の存在をＷＴＲＵに示す該ページング標識を、各ＬＴＥフレームの特定のサブフレームの中で送信するステップと、
前記ＷＴＲＵに対する前記ＰＩを含む前記フレームの後に続いて、前記識別されたＷＴＲＵに命令を与えるページングレコードをＬＴＥフレームの中で送信するステップと
を含むことを特徴とする方法。
【請求項２】
前記ＰＩは、グループのメンバであるＷＴＲＵを識別するグループＩＤ（識別子）を含むことを特徴とする請求項１に記載の方法。
【請求項３】
ページングは、ＭＢＭＳ（マルチメディア放送／マルチキャスト・サービス）専用セルにおいて実行されることを特徴とする請求項１に記載の方法。
【請求項４】
前記ＭＢＭＳ専用セルは、ＰＩとページングレコードブロックの両方に関して単一のページングチャネルを使用することを特徴とする請求項３に記載の方法。
【請求項５】
ＭＢＭＳ（マルチメディア放送／マルチキャスト・サービス）専用セルによって使用されるための方法であって、
単一のＰＣＨ（ページングチャネル）を介してＷＴＲＵにＰＩ（ページング標識）およびページングレコードブロックを送信し、さらにユニキャストＭＢＭＳサービスをページングするために異なるチャネルを使用することを含み、前記ページングチャネルは、前記ＷＴＲＵにシステム変更情報を伝えるように構成されることを特徴とする方法。
【請求項６】
前記ページングチャネルは、物理層パラメータを含む特定のパラメータを供給することを特徴とする請求項５に記載の方法。
【請求項７】
前記物理層パラメータは、電力オフセット、チャネル符号化、送信ダイバーシチ情報、およびアンテナ情報を含むことを特徴とする請求項６に記載の方法。
【請求項８】
前記ページング標識は、フレーム内のサブフレームオフセットとＮサブフレームによって表されるページング標識長の少なくともいずれかを含むことを特徴とする請求項５に記載の方法。
【請求項９】
ページング標識情報は、ページング標識内部割り当てビット構成、および各ページング機会に関するＰＩ−ＲＮＴＩ（ページング標識無線ネットワーク一時ＩＤ）情報の少なくともいずれかをさらに含むことを特徴とする請求項８に記載の方法。
【請求項１０】
ＭＢＭＳ（マルチメディア放送／マルチキャスト・サービス）セルによって使用されるための方法であって、
ＲＲＣ（無線リソース制御）接続時に前記ＷＴＲＵに割り当てられる現在のＤＲＸ（不連続受信）サイクルの使用を回避して、ページング負荷分散を均等にするように、システム情報の一部として供給される一様なＤＲＸサイクル長割り当てを送信するステップを含むことを特徴とする方法。
【請求項１１】
少なくとも１つのＭＢＭＳ専用セルは、ＭＢＭＳＦＮ（マルチメディア放送／マルチキャスト・サービス同期ネットワーク）において提供され、前記ＭＢＭＳＦＮにおいて前記少なくとも１つのＭＢＭＳ専用セルと地理的に同じ場所に配置された少なくとも１つの非ＭＢＭＳ専用セルを有する構成において使用するための方法であって、
前記少なくとも１つの非ＭＢＭＳ専用セルと地理的に同じ場所に配置された前記ＭＢＭＳ専用セルに所与のＴＡ−ＩＤを割り当て、さらに前記地理的に同じ場所に配置された非ＭＢＭＳ専用セルに前記所与のＴＡ−ＩＤとは異なる別のＴＡ−ＩＤを割り当てて、不必要なページングオーバヘッドを小さくするステップを含むことを特徴とする方法。
【請求項１２】
前記少なくとも１つの地理的に同じ場所に配置された非ＭＢＭＳ専用セル内だけに位置していると識別されたＷＴＲＵに通常のＴＡ−ＩＤを割り当てるステップを含むことを特徴とする請求項１１に記載の方法。
【請求項１３】
複数のＭＢＭＳ専用セルと、前記ＭＢＭＳ専用セルの少なくとも１つと地理的に同じ場所に配置された複数の非ＭＢＭＳ専用セルとを有するＭＢＭＳＦＮ（マルチメディア放送／マルチキャスト・サービス同期伝送ネットワーク）においてＷＴＲＵへのページングオーバヘッドを小さくするために使用される方法であって、
前記非ＭＢＭＳ専用セルと同じ場所に配置された前記少なくとも１つのＭＢＭＳ専用セルにＴＡ−ＩＤを割り当て、さらに前記非ＭＢＭＳ専用セルに別のＴＡ−ＩＤを割り当てるステップを含むことを特徴とする方法。
【請求項１４】
ＭＢＭＳ専用セルからの専用ＭＢＭＳサービスによってサポートされるＷＴＲＵによって使用される方法であって、
前記ＷＴＲＵを現在、サポートしており、さらに前記ＭＢＭＳサービスＴＡ（ターゲットエリア）の下にあるセルにおいてだけ着信ページング監視を実行するステップと、
前記ＭＢＭＳサービスＴＡ内のセルにＭＢＭＳ測定を実行するステップと、
通常のＴＡ内のセルに通常の測定を実行するステップと、
ＭＢＭＳ専用セルと地理的に同じ場所に配置された、前記通常のＴＡの下にある１つの非ＭＢＭＳ専用セルに対してだけ非ＭＢＭＳ動作を実行するステップと
を含むことを特徴とする方法。
【請求項１５】
ＭＢＭＳサービスを受信する少なくとも１つのＷＴＲＵへのＭＢＭＳサービスの一部としてＧＡＰ（汎用アクセスプロファイル）スケジューリング情報を供給するために、ＭＢＭＳ専用セルと、非ＭＢＭＳ専用セルとを有するネットワークによって使用される方法であって、
任意の非ＭＢＭＳセルにおいて非ＭＢＭＳ動作を実行するように前記ＷＴＲＵに前記ＧＡＰを供給するステップであって、前記ＧＡＰスケジューリング情報は、開始フレーム番号、フレーム単位の長さ、およびフレーム数の点における繰り返し周期長を含むステップを含むことを特徴とする方法。
【請求項１６】
測定活動を実行するためにＭＢＭＳ専用セルによるサービスを受けるＷＴＲＵによって使用される方法であって、
ＲＳＲＰ（取り出し状態応答）とＢＬＥＲ（ブロック誤り率）のいずれかによって、前記ＭＢＭＳ専用セル上のＭＢＭＳ受信品質を測定するステップを含むことを特徴とする方法。
【請求項１７】
前記測定された値が、所与の閾値を外れてＭＢＭＳ伝送問題を示す場合、ＴＡ（トラッキング・エリア）更新メッセージに前記ＭＢＭＳ測定を付加して、前記測定を直接に報告するステップをさらに含むことを特徴とする請求項１６に記載の方法。
【請求項１８】
ＲＳＲＰ（取り出し状態応答）に関して、関連する通常のＴＡ内の非ＭＢＭＳ専用セルを測定するステップをさらに含むことを特徴とする請求項１６に記載の方法。
【請求項１９】
前記ＲＳＲＱ（取り出し状態要求）を測定することによって、前記関連する通常のＴＡ内の前記非ＭＢＭＳ専用セルを測定するステップをさらに含むことを特徴とする請求項１８に記載の方法。
【請求項２０】
ＷＴＲＵは、測定が所与の閾値を下回っている場合、新たな非ＭＢＭＳセルを探すスキャンを開始することを特徴とする請求項１６に記載の方法。
【請求項２１】
ＬＴＥシステムからマルチメディア信号を受信するように構成され、前記信号は、命令メッセージを周期的に含むことを特徴とするＷＴＲＵ（無線送受信ユニット）。
【請求項２２】
ＭＢＭＳ（マルチキャストブロードキャストマルチメディア信号）であるマルチメディア信号を受信するように構成されることを特徴とする請求項２１に記載のＷＴＲＵ。
【請求項２３】
前記命令メッセージに応答して、前記ＭＢＭＳを受信することと、混成信号を受信することの間で切り換わるようにさらに構成されることを特徴とする請求項２２に記載のＷＴＲＵ。
【請求項２４】
前記ＭＢＭＳ信号を受信することと、ユニキャスト信号と前記混成信号のいずれかを受信することの間で切り換わる最適な時間を決定するようにさらに構成されることを特徴とする請求項２３に記載のＷＴＲＵ。
【請求項２５】
非ＭＢＭＳ活動を実行するためのスケジューリングギャップ中に、前記ＭＢＭＳ信号を受信することと、前記混成信号と前記ユニキャスト信号のいずれかを受信することの間で切り換わるようにさらに構成されることを特徴とする請求項２４に記載のＷＴＲＵ。
【請求項２６】
スケジュールされたギャップ間隔中に非ＭＢＭＳ活動を実行するようにさらに構成されることを特徴とする請求項２３に記載のＷＴＲＵ。
【請求項２７】
隣接セル測定およびＴＡ（トラッキング・エリア）更新を実行することを含む非ＭＢＭＳ活動を実行するようにさらに構成されることを特徴とする請求項２５に記載のＷＴＲＵ。
【請求項２８】
ＷＴＲＵ移動性、ＷＴＲＵ軌跡、およびＷＴＲＵにサービス提供するセル内におけるＷＴＲＵ位置のうちの少なくとも１つに応答して、ＵＬ（アップリンク）報告を実行するようにさらに構成されることを特徴とする請求項２１に記載のＷＴＲＵ。
【請求項２９】
ギャップ間隔中のＷＴＲＵ移動性を特定するようにさらに構成されることを特徴とする請求項２８に記載のＷＴＲＵ。
【請求項３０】
ＷＴＲＵ移動性を獲得し、
さらに所与のレベルを下回る移動性に応答して、測定と更新のいずれかを実行する必要性を回避するように構成されることを特徴とする請求項２７に記載のＷＴＲＵ。
【請求項３１】
前記ＭＢＭＳと前記混成信号の間の切り換えの少なくともいずれかを実行し、さらに測定および更新を実行するのにＷＴＲＵが使用することができるギャップの数を含む命令メッセージを受信するようにさらに構成されることを特徴とする請求項２２に記載のＷＴＲＵ。
【請求項３２】
前記ＷＴＲＵをサポートするセル内の前記ＷＴＲＵの位置に応じてギャップ間隔を決定するようにさらに構成されることを特徴とする請求項２３に記載のＷＴＲＵ。
【請求項３３】
前記ＷＴＲＵをサポートするセルの中心近くの前記ＷＴＲＵの位置に基づいて、低いレートで前記ＭＢＭＳ信号と前記混成信号の間で切り換わるようにさらに構成されることを特徴とする請求項２３に記載のＷＴＲＵ。
【請求項３４】
前記ＷＴＲＵをサポートするセルのエッジ近くの前記ＷＴＲＵの位置に基づいて、高いレートで前記ＭＢＭＳ信号と前記混成信号の間で切り換わるようにさらに構成されることを特徴とする請求項２３に記載のＷＴＲＵ。
【請求項３５】
切り換わる際に前記ＷＴＲＵが実行すべき測定を含むブロードキャスト情報を受信するようにさらに構成されることを特徴とする請求項２１に記載のＷＴＲＵ。
【請求項３６】
前記命令メッセージに応答して、ある特定のＴＡ（トラッキング・エリア）内でだけ関連する隣接セル情報および応答セル情報を送信するようにさらに構成されることを特徴とする請求項２１に記載のＷＴＲＵ。
【請求項３７】
第１のトラッキング・エリアおよび第２のトラッキング・エリアを受け付けるようにさらに構成されることを特徴とする請求項２１に記載のＷＴＲＵ。
【請求項３８】
前記第１のトラッキング・エリアは、ＭＢＭＳ専用セルに関連付けられ、さらに前記第２のトラッキング・エリアは、前記ＭＢＭＳ専用セルと地理的に同じ場所に配置された混成セルに関連付けられることを特徴とする請求項３７に記載のＷＴＲＵ。
【請求項３９】
前記ＭＢＭＳ専用セルと前記混成セルの間で切り換わるようにさらに構成され、
前記ＭＢＭＳ専用セルと前記混成セルに共通のＴＡを割り当てるメッセージの受信に応答して、ＴＡＵ（トラッキング・エリア更新）を実行する必要性を回避することを特徴とする請求項３８に記載のＷＴＲＵ。
【請求項４０】
ネットワークＭＭＥ（移動性管理エンティティ）は、１つのセルだけにＭＢＭＳ−ＴＡを割り当てるように構成され、さらに前記ＷＴＲＵにＭＢＭＳ−ＴＡ  ＩＤ（識別子）を割り当てることを特徴とする請求項２１に記載のＷＴＲＵ。
【請求項４１】
前記ネットワークＭＭＥは、複数のＴＡにページングメッセージを送信するようにさらに構成されることを特徴とする請求項４０に記載のＷＴＲＵ。
【請求項４２】
ＷＴＲＵにＴＡ（トラッキング・エリア）情報を供給するためのＬＴＥネットワークであって、
（ａ）前記ＷＴＲＵの移動性、軌跡、およびセル位置の少なくとも１つを特定するステップと、
（ｂ）ステップ（ａ）において獲得された特定に基づいて、ＴＡページング情報を送信するステップと
を含むことを特徴とするネットワーク。
【請求項４３】
ＴＡのエッジに向かう前記ＷＴＲＵの動きと、所与の速度より速い前記ＷＴＲＵの速度のいずれかに基づいて、前記情報の一部として送信されるべきＴＡの数を決定するようにさらに構成されることを特徴とする請求項４２に記載のネットワーク。
【請求項４４】
ＬＴＥにおいて動作するＷＴＲＵであって、
前記ネットワークにＷＴＲＵの移動性、軌跡、およびセル位置の少なくとも１つを供給し、
前記ネットワークからＴＡ（トラッキング・エリア）情報を受信し、さらに
前記ＴＡ情報に応答して前記ＴＡ内のセルを測定する
ように構成されることを特徴とするＷＴＲＵ。
【発明の詳細な説明】
【技術分野】
【０００１】
本発明は、無線通信システムに関する。
【背景技術】
【０００２】
最近、３ＧＰＰ（Third Generation Partnership Project）が、より高いスペクトル効率、およびより高速のユーザ体験をもたらすために、新たな技術、新たなネットワークアーキテクチャ、新たな構成、並びに新たなアプリケーションおよび新たなサービスを無線セルラーネットワークにもたらすＬＴＥプログラムを開始している。同時に、ＬＴＥネットワークおよびＬＴＥ技術の下でＭＢＭＳ（マルチメディア放送／マルチキャスト・サービス：Multimedia broadcast Multicast service）を引き続き提供するために、３ＧＰＰは、ＭＢＭＳに関するいくつかの新たな概念およびアーキテクチャを定義している。
【０００３】
Ｅｖｏｌｖｅｄ  ＵＭＴＳ（Universal mobile Telecommunication System）プロジェクトおよびＵＴＲＡＮ（UMTS Terrestrial Radio Access Network）プロジェクトの目的は、高いデータ転送速度、低い待ち時間、並びに向上したシステム容量およびシステムカバレッジを有するパケット最適化された無線アクセスネットワークを開発することである。このことを実現するため、無線インターフェースおよび無線ネットワークアーキテクチャの改良が、考慮されなければならない。例えば、ＣＤＭＡ（符号分割多元接続）を使用する代わりに、ＯＦＤＭＡ（直交周波数分割多元接続）およびＦＤＭＡ（周波数分割多元接続）が、それぞれ、ダウンリンク伝送およびアップリンク伝送において使用されるべき無線インターフェース技術と考えられている。別の例が、すべての音声呼がパケット交換ベースで行われることをもたらす、ＬＴＥネットワーク全体に対するパケット交換サービスの適用である。
【０００４】
ＭＢＭＳサービスは、従来技術において定義される。ＭＢＭＳサービスは、ＤＶＢ−Ｈ（High Speed Digital Video Broadcasting）などの、他のスペクトルにおいて動作する他のマルチキャストサービスに相当するものである。ＭＢＭＳは、ダウンリンクデータが、単一の送信元から、ブロードキャストモードまたはマルチキャストモードで複数の受信者に伝送されることを可能にする。また、従来技術は、ＭＢＭＳチャネル、ＭＢＭＳスケジューリング、ＭＢＭＳ無線ベアラ、ＭＢＭＳ手順（procedure）などの定義も含む。
【０００５】
３ＧＰＰ  ＬＴＥプロジェクトにおいて、新たなＵＴＲＡＮおよび発展型コアネットワークが導入されている。新たなネットワークは、新たなアーキテクチャがＭＢＭＳサービスを効率的にサポートすることができるように、ＭＢＭＳに関する現在の仕様の変更を要求する。
【０００６】
３ＧＰＰ  ＬＴＥネットワークにおいて、通常、３つのタイプのセル、すなわち、ＭＢＭＳ専用セル、混成セル（mixed cell）およびユニキャストセルが存在する。ＭＢＭＳ専用セルは、ダウンリンクＭＢＭＳコンテンツ伝送に専用であり、したがって、いずれのＵＥ（ユーザ機器）に関してもアップリンクアクセスおよびアップリンク機能は存在しない。ＭＢＭＳ専用セルは、通常、一緒に展開されて、同一の周波数層（ただし、通常の混成／ユニキャストＬＴＥセルとは異なる）の上でＭＢＳＦＮ（ＭＢＭＳ同期伝送ネットワーク）の一部を形成する。混成セルは、通常のＬＴＥセルの能力を有するとともに、ＭＢＭＳチャネルを介してダウンリンクＭＢＭＳサービスおよびダウンリンクＭＢＭＳコンテンツの伝送も行う。ユニキャストセルは、ＭＢＭＳサービスを有さない通常のＬＴＥセルである。
【０００７】
図１（ａ）〜図１（ｃ）は、これらの異なるセルが、どのように展開されることが可能であるかの、いくつかの例を示す。従来技術では、ＷＴＲＵが、ユニキャストセルまたは混成セルからＭＢＭＳ専用セルに切り換わると、ＷＴＲＵは、通常、ユニキャストサービスを終了する。ＵＴＲＡＮは、ページングを介して新たなサービス要求についてＷＴＲＵに知らせることができる。
【０００８】
単一の受信側ＷＴＲＵが、専用キャリア上のＭＢＭＳサービスを受信することができ、さらに可能な着信呼に関するページングを同時に監視できるべきことが示唆されている。一般に、単一の受信側ＷＴＲＵにページングを行う２つの方法が存在する。１つの方法は、ＭＢＭＳ専用層の上でページングメッセージを送信することである。代替として、ＷＴＲＵは、混成セルまたはユニキャストセルに遷移して、または切り換わって、着信呼ページングがないか確認してもよい。
【０００９】
ＭＢＭＳ専用層の上で信号を受信しているＷＴＲＵにページングを行うことには、いくつかの問題がある。セル境界更新の非効率、およびシグナリングオーバヘッドに関して問題がある可能性がある。ＭＢＭＳ専用セルサイズは、通常、混成セルのサイズより大きく、したがって、ＭＢＭＳ専用層の上で動作しているＷＴＲＵが、ＷＴＲＵがトラッキング・エリア（ＴＡ）の境界を越えたことをどのように検出するかに関して、問題が生じる可能性がある。ＷＴＲＵは、ＭＢＭＳ専用層において動作している間、ＴＡの変更に関する情報をまったく得ることができない。
【００１０】
ＷＴＲＵが、ＴＡ更新（ＴＡＵ）をトリガすることができる場合でさえ、そうすることは、専用ＭＢＭＳ層の上で実行されることが可能でないので、ＭＢＭＳ受信の中断につながる。通常、ＷＴＲＵは、ＲＢ（無線ベアラ）構成情報およびＲＢスケジューリング情報から、関係のあるＭＢＭＳサービスのスケジューリングパターンを知る。ＷＴＲＵは、通常、スケジュールされたギャップにおいてキャンプ（camped）ユニキャスト／混成セルに戻り、スケジューリングデータストリームの始めにＭＢＭＳ専用セルに戻る。この間隔中、ＷＴＲＵは、ＴＡ更新またはセル更新などの非ＭＢＭＳ手順を実行することができる。しかし、余りにも頻繁な周期で実行されるＴＡＵは、大きいアップリンクシグナリングオーバヘッドにつながる可能性がある。
【００１１】
第２の問題は、大きいページング負荷に起因するページングの非効率であり得る。通常、ＭＢＭＳ専用層のサイズは大きい可能性があり、さらにＭＢＭＳ専用層は、いくつかのＭＢＭＳ専用セルとともに、いくつかのユニキャスト／混成セルＴＡを含むことが可能である。ページングチャネルがＭＢＭＳ専用セル上で伝送される場合、ページング要求が、すべてのＭＢＭＳ専用セルのページングチャネル上で伝送される可能性があり、このことは、不必要なシステムページング負荷を生じさせる可能性がある。このことは、ＭＢＭＳサービスに関する有効データ転送速度を不利に低下させる可能性がある。
【００１２】
別の問題は、特に緊急サービスに応答する際の、ページング信号に対するＷＴＲＵの応答に起因する、セル選択／再選択を実行する間の遅延であり得る。このことは、ＭＢＭＳ専用セルにおけるページング信号の受信の後、混成／ユニキャストセルに切り換わる過程におけるセル選択／再選択プロセスに起因して、遅延されたページング応答を生じさせる可能性がある。この影響は、緊急呼に応答している場合、深刻であり得る。さらに、シグナリングオーバヘッドが、懸念すべき問題であり得る。
【００１３】
ＷＴＲＵが、いくつかの隣接セルを検出するものと想定して、ＷＴＲＵが、セル選択またはセル再選択を実行し、さらに混成／ユニキャストセルへのアクセスを得るのに、平均して、推定約３３０ミリ秒の遅延が存在する。この遅延は、測定を実行するための１０ミリ秒と、ＳＩＢ（システム情報ブロードキャスト）のデフォルトスケジュールに基づいて相対的ＢＣＣＨ（ブロードキャストチャネル）情報を読み取るための３２０ミリ秒に分けられる。
【００１４】
別の問題は、ＭＢＭＳ専用セル上と混成セル上の両方でページングメッセージを伝送する際のリソースの浪費であり得る。ページングが、ＭＢＭＳ専用層の上だけで伝送されるか、またはページングが、混成セル上で伝送されて、ＭＢＭＳ専用層の上で繰り返される（duplicate）かは、判定され得ない。ページングメッセージが繰り返される場合、ページングメッセージは、ＭＢＭＳ専用層の上と混成セル上の両方で伝送される。しかし、単一の受信側ＷＴＲＵは、ＭＢＭＳ専用層の上、または混成セルの上だけで動作している。このため、繰り返されたページングメッセージは、これらの層のいずれかにおいて無線リソースの浪費をもたらす可能性がある。このため、大幅に向上したページング効率を実現するのを助けるのに、より効率的なページングスキーム、およびより効率的な測定スキームを提供することが望ましい。
【００１５】
ＬＴＥ標準の進展の現状は、ＭＢＭＳ専用セルが、通常のＷＴＲＵアイドルモードページングも扱うことができることを可能にしている。このことは、ＭＢＭＳ専用セルにおいてＭＢＭＳサービスを受信するＷＴＲＵが、混成セルまたはユニキャストセルへの切り換え（周波数間切り換え）なしに、したがって、ＭＢＭＳサービス受信の中断なしに、可能な着信呼ページングを監視することができるため、有利である。
【００１６】
したがって、ＬＴＥ  ＭＢＭＳ専用セルにおいて、セルに対するＷＴＲＵ同期のためのＳＣＨ（同期チャネル）、ＷＴＲＵがシステムフレーム数およびシステム情報ブロードキャストを知るためのＢＣＨ（ブロードキャストチャネル）、ＷＴＲＵがＭＢＭＳ関連のトラフィックを受信するためのＭＣＨ（マルチキャストチャネル）、および着信呼ページングを監視するためのＰＣＨ（ページングチャネル）が、存在する。
【００１７】
ＭＢＭＳサービス受信構成についての、ページング監視およびページング受信についての、並びにＷＴＲＵが非ＭＢＭＳ動作を実行することを許すために、ＴＡおよび関連するセルのアソシエーションをＷＴＲＵに伝えることについてのＷＴＲＵの動作を組織化する作業に取り組む必要がある。専用セルページング構成問題およびトラッキング・エリア更新問題を解決することが望ましい。
【先行技術文献】
【特許文献】
【００１８】
【特許文献１】米国特許第７，２６０，３９６号明細書
【発明の概要】
【００１９】
ページングは、専用ＭＢＭＳセルのページングチャネルにおいて実行され、またシステム情報コンテンツおよびいくつかのパラメータが、ＭＢＳＦＮ内のＬＴＥ専用ＭＢＭＳセルによってブロードキャストされる。ＵＴＲＡＮは、ＷＴＲＵが、隣接セル測定およびＴＡＵ（ＴＡ更新）を実行するＭＢＭＳ専用セル全体の、またはＭＢＭＳ専用層全体の共通ギャップを指定する。適応型ギャップパターン、半静的ギャップパターン、または固定のギャップパターンが、セル負荷、ＷＴＲＵ移動性（mobility）、およびその他の要因などのＷＴＲＵ条件およびセル条件、および／または層条件に基づいて与えられる。ＷＴＲＵは、ＷＴＲＵの移動性またはその他の要因に基づいて、ＷＴＲＵ独自の切り換え時間を選択することができる。ページングは、１つの専用ＭＢＭＳセル内の１つのＴＡだけに制限されることが可能であり、またはＴＡアソシエーションおよびアロケーション方法を使用して、ページング負荷を低減すること。ＭＢＭＳ専用セルのＢＣＨ（ブロードキャストチャネル）は、ページングをサポートする。ページングは、関連する混成セルまたはユニキャストセルに関するトラッキング・エリア識別子に基づくことが可能である。ページング要求に応答する際に、混成セルまたはユニキャストセルの特定のセルＩＤが、ＷＴＲＵのランダムアクセスプロセスに関して使用されることが可能である。ページング遅延を小さくし、緊急呼への迅速で効率的な応答のために、他のセルアクセスパラメータが、使用されることが可能である。セルアソシエーション方法と候補セルの負荷情報のいずれかが、ページング要求メッセージとしてＰＣＣＨ（ページング制御チャネル）内で供給されることが可能である。ＬＴＥ  ＭＢＭＳ専用セルからのシステム情報は、サービス受信構成、ページング監視およびページング受信、ＴＡおよび関連するセルアソシエーションを伝えること、ならびに非ＭＢＭＳ動作を実行するシステム全体のギャップスケジュールを公開することについてのＷＴＲＵの動作を組織化する。
【００２０】
ＭＢＭＳ専用セルにおけるフラットなＢＣＨ構造を使用することにより、Ｄ−ＢＣＨ（動的ブロードキャストチャネル）の必要性がなくなる。ＭＢＭＳ専用セルは、ＰＩ（ページング標識：paging indicator）とページングレコードブロックの両方のために単一のページングチャネルを使用する。システム情報には、ページングレコードブロックのための柔軟なリソース使用量およびリソース制限、ＭＢＭＳ専用セルおよび地理的に同じ場所に配置されたＭＢＭＳ専用でないセルのＴＡ割り当ておよびアソシエーションに関するＴＡ／セルアソシエーションが含まれる。この情報は、ＭＢＭＳ専用セル内でＭＢＭＳサービスを受信しながら、ＷＴＲＵ動作を調整する。ＭＢＳＦＮ全体のＭＢＭＳ定義が、システム情報の中に含められる。段落［００７８］ないし段落［００８３］においてより詳細に説明されるＳＩＢ（システム情報ブロック）が、ＭＢＳＦＮ範囲の下にあり、さらに、ＷＴＲＵによって獲得されると、値タグが変更されない限り、ＷＴＲＵがＳＩＢを再び読み取る必要性はまったくない。ＳＩＢに関する値タグは、現在のＳＩＢバージョンを示す整数（例えば、１、２、３、．．．、８またはそれ以上）である。この値タグを確認することにより、タグが古くなっているかどうかが判定される。強化された、信頼できるサービス、およびより小さいページングオーバヘッドが、以下に関するパラメータを供給することによって得られる。すなわち、トラッキング・エリアおよびセルアソシエーション、ＷＴＲＵが非ＭＢＭＳ関連のタスクを実行するマルチキャスト／ブロードキャストＧＡＰ（汎用アクセスプロファイル：Generic Access Profile）割り当て、ページング関連の動作、およびＷＴＲＵ測定、ならびにＬＴＥ専用のＭＢＭＳセルからの通常のセル動作である。
【図面の簡単な説明】
【００２１】
本明細書の実施形態のより詳細な理解は、例として与えられ、添付の図面と併せて理解されるべき、以下の説明から得ることができる。
【図１】（ａ）〜（ｃ）は３つの従来のＭＢＭＳセル展開シナリオを示す図である。
【図２】一実施形態によるＭＢＭＳ専用セルおよび混成セルの地理的展開の一例を示す図である。
【図３】ＭＢＭＳ専用セルにおけるページング構成を示す図である。
【図４】ＭＢＳＦＮおよび同じ場所に配置された非ＭＢＭＳ専用セルを示す図である。
【図５】ＭＢＭＳ専用セルからの複合ＴＡ／セルアソシエーションを示す図である。
【発明を実施するための形態】
【００２２】
本明細書で言及される場合、用語「ＷＴＲＵ（無線送受信ユニット）」には、ＵＥ（ユーザ機器）、移動局、固定契約者ユニットもしくは移動契約者ユニット、ページャー、セルラー電話機、ＰＤＡ（パーソナルデジタルアシスタント）、コンピュータ、または無線環境において動作することができる他の任意のタイプのユーザデバイスが含まれるが、それらには限定されない。また、用語「基地局」には、Ｎｏｄｅ−Ｂ、サイトコントローラ、ＡＰ（アクセスポイント）、または無線環境において動作することができる他の任意のタイプのインターフェースデバイスが含まれるが、それらには限定されない。
【００２３】
ＷＴＲＵは、通常、固定のギャップパターンまたは静的ギャップパターンでＭＢＭＳセルから混成セルに切り換わる。一実施形態では、ＷＴＲＵは、ＭＢＭＳスケジューリングギャップ中に、または適応型ギャップパターンまたは半静的ギャップパターンで隣接セル測定およびセル／ＴＡ更新のために使用される他の何らかの事前定義されたギャップ機構中に、混成セルに切り換わることが可能である。
【００２４】
通常、ＷＴＲＵは、ＲＢ（無線ベアラ）構成情報およびスケジューリング情報から、所望されるＭＢＭＳサービスのスケジューリングパターンを知る。ＷＴＲＵは、非ＭＢＭＳプロセスのためのスケジューリングギャップ中にキャンプユニキャスト／混成セルに戻ることができ、その後、スケジュールされたデータストリームの始めにＭＢＭＳ専用セルに戻って、ＭＢＭＳサービスをリッスンすることができる。ギャップ間隔中、ＷＴＲＵは、測定やＴＡＵ（ＴＡ（トラッキング・エリア）更新）などの非ＭＢＭＳ手順を実行することができる。本明細書で説明される一実施形態は、隣接セルを測定するための方法、およびＷＴＲＵが、ＭＢＭＳ専用セルからページングメッセージを受信した際に、混成／ユニキャストセルにおけるＷＴＲＵにステータス更新を供給するための方法を含む。
【００２５】
測定およびアップリンク報告および／または更新の頻度は、ＷＴＲＵ移動性、ＷＴＲＵ軌跡（trajectory）、セル内におけるＷＴＲＵの位置などの、多くの要因に依存することが可能である。例えば、ＷＴＲＵが、ある時間にわたってある閾値を超えている高い移動性で移動している場合、ＷＴＲＵは、次の利用可能なギャップ中のＵＬ（アップリンク）報告の中でこの状況を示すことができる。このことは、ＭＢＭＳ専用セルから混成セルへの切り換えの頻度を適応的に調整する２つの方法を与える。
【００２６】
本明細書で説明される一実施形態では、ＷＴＲＵは、ＷＴＲＵが測定プロセスおよび更新プロセスのためにＭＢＭＳ専用セルから混成セルに切り換わるのに使用すべきギャップの数に関する決定を自律的に行う。周期性のためのギャップの正確な数は、実施形態固有であり、さらにＷＴＲＵの移動性によって決まることが可能である。ＷＴＲＵにおけるセル切り換えの頻度は、ＷＴＲＵのリアルタイムの状況に基づいて、適応的に調整されることが可能である。例えば、ＷＴＲＵが、１つのセル内で低い移動性状態にある場合、隣接セルの測定、およびセル更新は、スケジュールされたギャップのたびに実行される必要はなく、その結果、ＷＴＲＵ電力が節約され、ＵＬ（アップリンク）シグナリングオーバヘッドが小さくなる。
【００２７】
代替として、ＷＴＲＵは、混成セルのための次に利用可能なスケジューリングギャップ中に、ＷＴＲＵの移動性ステータスをネットワークに報告することができる。すると、ネットワークは、決定を行い、ＷＴＲＵが、測定プロセスおよび更新プロセスのためにＭＢＭＳ専用セルと混成セルの間で切り換えを実行するのに使用すべき、スケジュールされたギャップの数を含む情報をＷＴＲＵにシグナリングする。ＷＴＲＵは、ネットワークからの信号に基づいて切り換えを実行することができる。ＷＴＲＵは、例えば、ＷＴＲＵ移動性などのステータス変化を報告する特権を有することが可能である。このことは、新たな閾値をトリガすることが可能であり、したがって、次に利用可能なスケジュールされたギャップが、リアルタイムでＷＴＲＵのステータスをネットワークに更新するために使用されることが可能である。
【００２８】
他の要因が考慮される際に、同様の規則が適用される。例えば、ＷＴＲＵが、セル中心近くで検出された場合、またはセル中心に向かって移動している場合、ＷＴＲＵは、異なる２つのセル間で、低い頻度で切り換えを実行することが可能である。ＭＢＭＳ専用セルから混成セルに切り換わる際に行われるべき具体的な測定は、ＷＴＲＵへのブロードキャスト情報の中で指定されることが可能である。
【００２９】
ＭＢＭＳ専用セルと混成セルの間の地理的関係が図２に示される。図２において、混成セルのセルサイズは、ＭＢＭＳ専用層がユニキャストサービスを提供する必要がないため、ＭＢＭＳ専用層セルのサイズと同一ではない。このため、ＭＢＭＳ専用セルのサイズは、通常、混成セルより大きい。
【００３０】
１つのＭＢＭＳ専用セルが範囲に含むすべてのＴＡにページングメッセージを送信することによる大きいページング負荷を回避するため、ＭＢＭＳ専用セルにおけるページングメッセージは、１つのＴＡに属するＭＢＭＳ専用セルだけに送信されることが可能である。関連する隣接セル情報または応答セル情報が、含められるべき場合、関連するＴＡまたはセルの範囲内の隣接セルの情報だけが、ページングメッセージの一部としてＰＣＨ（ページングチャネル）の中に含められる。ＷＴＲＵには、２つのＴＡ、すなわち、ＭＢＭＳ専用セルだけしか範囲に含まない１つのＴＡと、ＭＢＭＳ専用セルと地理的に同じ場所に配置された混成／ユニキャストセルを範囲に含む別のＴＡとが、割り当てられることが可能である。その結果、ＭＢＭＳ専用セルと、地理的に同じ場所に配置された混成／ユニキャストセルとの間の切り換えは、それらのＴＡの両方がＷＴＲＵに割り当てられるので、ＴＡ更新生じさせないはずである。さらに、（ＮＰＥ）ネットワークページングエンティティまたはＭＭＥ（移動性管理エンティティ）が、ＭＢＭＳ−ＴＡ−ＩＤがＭＢＭＳ−ＴＡ−ＩＤの１つとして認識可能であるように割り当てられるという条件付きで、１つのセルだけしか範囲に含まないＭＢＭＳ−ＴＡをページングするように最適化されることが可能である。
【００３１】
複数のＴＡがページングされる必要がある場合、ページングメッセージは、それら複数のＴＡの範囲内のセルだけに送信されることが可能である。このことは、ネットワークによって決定されることが可能である。関連する隣接セル情報が含められるべき場合、それらいくつかのＴＡの範囲内の隣接セルだけが、ページングメッセージの中に含められることが可能である。
【００３２】
ページングメッセージの中で送信されるＴＡの数の選択は、ＷＴＲＵ移動性、ＷＴＲＵ軌跡、および１つのセル内、もしくは１つのＴＡ内におけるＷＴＲＵの位置に依存することが可能である。例えば、ＷＴＲＵが、１つのＴＡのエッジに向かって高速で移動している場合、スケジュールされたギャップ中の更新情報に基づいて、ネットワークは、ＷＴＲＵが向かっている隣接ＴＡを特定し、ページングメッセージを送信するためにいくつのＴＡが選択されるべきかを決定することができる。
【００３３】
ＭＢＭＳ専用セルシステム情報ブロードキャストは、ＭＢＭＳ専用セルに関するセルＩＤを有するセルに関するＭＢＭＳ−ＴＡ−ＩＤ、および関連するＴＡ（ＴＡ−ＩＤ）、ならびに１つのＴＡ−ＩＤの範囲内のセルＩＤ（ＭＢＭＳ専用セルの下で同じ場所に配置された混成／ユニキャストセル）を含むことが可能である。複数のＴＡが、１つのＭＢＭＳ専用セルの範囲内に含まれる場合、各ＴＡ−ＩＤに対応するセルＩＤは、ブロードキャスト情報内部に含められることが可能である。
【００３４】
セルＩＤを有するＰＣＨ、および、場合により、他のアクセスパラメータを受信した後、ＷＴＲＵは、混成／ユニキャストセルに切り換わり、ＰＣＨメッセージによって示唆されるセルにアクセスメッセージを送信して、通信を開始することができる。その間、隣接セルの測定は、より良好なセルへのハンドオーバが実行されることが可能であるように、ＷＴＲＵによって実行されることが可能である。
【００３５】
セルＩＤおよび隣接セル負荷情報が、ＰＣＨメッセージの中に含められることが可能である。このセルＩＤおよびアクセス情報は、ページングを受けたＷＴＲＵが、このＷＴＲＵがそのページング要求に応答するのに、いずれのセルにキャンプオンすることができるかを決定するのに使用することができる情報を含むことが可能である。ＷＴＲＵは、ページングを受けると、ＰＣＨメッセージに応答して、ＲＡＣＨ（ランダムアクセスチャネル）プロセスを開始することができるように、いずれのセルにＷＴＲＵがキャンプオンすべきかを迅速に知らなければならない。ＷＴＲＵがキャンプオンすべきセルＩＤを指定することにより、ＷＴＲＵが、ＭＢＭＳ専用セルから混成セルに切り換わった後のセル測定およびセル選択／再選択の遅延が、大幅に小さくなることが可能である。指定されたセルにキャンプオンした後、ＷＴＲＵは、ＲＡＣＨプロセスを開始することや、必要なＲＲＣ（無線リソース制御）接続手順などのページング要求に応答するための最良のセルを見出す通常の測定プロセスを開始することができる。
【００３６】
また、ページング要求に応答するために使用されるＲＡＣＨシグネチャが、ＰＣＨメッセージの中に含められることも可能である。専用またはランダムであるＲＡＣＨシグネチャのためのリソース割り当て情報は、ＰＣＨメッセージの中に含められることが可能である。特定のＵＬ（アップリンク）伝送無線リソースおよび専用のＲＡＣＨシグネチャを知ることによって、ＷＴＲＵは、最小の遅延でページング要求に応答することができる。このことは、緊急呼サービスへの応答に特に役立つ。代替として、ＷＴＲＵは、ＭＢＭＳ専用セルから混成／ユニキャストセルに切り換わると、高優先度アプリケーション固有のコマンドセットを使用して、アクセスプロセスを速め、その結果、アクセス遅延を小さくすることができる。
【００３７】
ページング監視および受信情報
ＭＢＭＳ専用セルにおけるページングチャネル構成のための以下の２つのオプションが存在する。
【００３８】
（１）非ＭＢＭＳ専用セルの現在のＬＴＥページングアプローチの後に続いて、ＰＩ（ページング標識）が、ＰＤＣＣＨ（パケットデータ制御チャネル）であるダウンリンクＬ１／２制御チャネルにおいて送信され、さらにページングメッセージが、ＤＬ−ＳＣＨ（ダウンリンク共有チャネル）チャネルにおいて送信される。この利点は、ＷＴＲＵの動作が同一であることであり、欠点は、セルが、ダウンリンクにおいてＤＬ−ＳＣＨを備えなければならないことである。
【００３９】
（２）ＭＢＭＳサービスチャネルスケジューリングが、ＭＢＭＳ  ＭＣＣＨ（マルチキャスト制御チャネル）とＭＢＭＳ  ＭＴＣＨ（マルチキャストトラフィックチャネル）の両方に関してＭＣＨ（マルチキャストチャネル）を使用する場合には、ＭＢＭＳ専用セルにおける異なるチャネル構造がページングのために使用され、したがって、より広い帯域幅のダウンリンクＬ１／２制御チャネルが、ＰＩとページングメッセージの両方を伝送するのに使用される非ＭＢＭＳ専用セルの場合と同様に、ダウンリンクＬ１／２制御チャネルＰＤＣＣＨを介する他のトラフィックは存在しない。ページングメッセージは、ページングレコードブロックの中のページングレコードの数に応じて、柔軟な数のリソースブロックを有することが可能であることに留意されたい。
【００４０】
図３は、一実施形態によるＭＢＭＳ専用セルにおけるページング構成を示す。
【００４１】
１）ＰＩ１０が、各ＬＴＥフレームの特定のサブフレームの中で所与の頻度で送信されて、着信呼が存在するかどうかを示すために、そのページング機会に起動するＷＴＲＵのグループにシグナリングする。
【００４２】
２）ＷＴＲＵが、ＰＩを調べて、ＷＴＲＵのための、またはＷＴＲＵを含むグループのためのページングメッセージが存在するかどうかを調べる。
【００４３】
３）ページングメッセージが存在する場合、ＷＴＲＵは、次のフレーム（ＷＴＲＵがＰＩを復号することを可能にする）の中でページングメッセージを受信して、ＷＴＲＵのための正確なページングレコードが存在するかどうかを調べる。例えば、ＷＴＲＵが、ＰＩ１０を復号し、さらに、ＷＴＲＵのためのメッセージが存在する場合、参照符号１２で次のフレームにジャンプして、ページングメッセージ１４を獲得する。
【００４４】
４）厳密なＷＴＲＵ−ＩＤ合致が、ページングメッセージの中のページングレコードの１つのなかで見出されることが可能である場合、ＷＴＲＵは、実際に、ページングを受け、ページング応答を実行する他のアクセスパラメータを有するページングレコードによって示されるセルに切り換わる。
【００４５】
また、ページングチャネルは、システム情報変更情報をＷＴＲＵに伝え、特定のシステム情報変更フラグが、「ページングメッセージブロック」の中に符号化される。
【００４６】
ブロードキャストするためのページング関連のシステム情報
ＰＣＨチャネル固有のパラメータは、ＰＣＨ関連物理層パラメータ、ＰＩ関連の情報およびページングレコードブロック関連の情報を含む。
【００４７】
ＰＣＨ関連物理層パラメータは、
ａ）電力オフセット、
ｂ）チャネル符号化
ｃ）ＴＸ（送信）ダイバーシチ情報、および
ｄ）アンテナ情報
などを含む。
【００４８】
ＰＩ関連の情報は、
ａ）フレーム内のＰＩサブフレームオフセット（または、さらにはｎサブフレームに関するＰＩ長）、
ｂ）ＰＩ内部割り当てビット構成、または
ｃ）それぞれの異なるページング機会におけるＰＩ−ＲＮＴＩ（ページング標識無線ネットワーク一時ＩＤ）情報
などを含む。
【００４９】
ページングレコードブロック関連の情報は、
ａ）サブキャリアの最大数
ｂ）ページングレコードの最大数（好ましくは、ＵＭＴＳを上回る８より大きい数）
などを含む。
【００５０】
代替として、専用セルにおいてＭＢＭＳサービスを受信するＷＴＲＵは、ＲＲＣ（無線リソース制御）接続時にネットワークによってＷＴＲＵに割り当てられた現在のＤＲＸ（不連続な受信）サイクルではなく、システム情報の一部として公開された一様なＤＲＸサイクル長割り当てを使用することができる。この代替形態の利点は、ｅＮＢ（発展型Ｎｏｄｅ−Ｂ）におけるページング分散機能が、より単純であり、ページング負荷のより均等な分散をもたらすことである。
【００５１】
ＴＡ−非ＭＢＭＳ専用セルアソシエーション
ＭＢＳＦＮにおけるＭＢＭＳ専用セルのすべてが、単一のＴＡ−Ｉｄに割り当てられる場合、または近くの非ＭＢＭＳ専用セルに、ＭＢＭＳ専用セルとして同一のＴＡ−Ｉｄが割り当てられる場合、このことは、図４に示されるとおり、関与していない他のセルに向けてのページング作業の点で、不必要に重い負荷を生じさせる。
【００５２】
混成セル１１、ユニキャストセル１２、およびユニキャストセル１３が、同一の地理的エリアに存在するが、異なる周波数帯域で動作しているＭＢＭＳ専用セル２に対して、地理的に同じ場所に配置された非ＭＢＭＳ専用セルとして識別されることに留意されたい。
【００５３】
図４に示されるとおり、ＭＢＳＦＮにおけるＭＢＭＳ専用セルのすべてが、単一のＴＡ−Ｉｄに割り当てられる場合、ＭＢＭＳ専用セル１（図示されていない、さらに多くのＭＢＭＳ専用セルを含むことも可能である）も、不必要にページングを伝送する。また、ＭＢＭＳ専用セル２、ならびにセル１１、１２、および１３に同一のＴＡ−Ｉｄが割り当てられる場合、ＷＴＲＵがＭＢＭＳ専用セル２内に存在する場合、セル１１、１２、および１３が、不必要にページング負荷を担う。さらに、ＷＴＲＵがセル１１内だけに存在する場合、ＭＢＭＳ専用セル２が不必要な負荷を担う。
【００５４】
不必要なページング負荷を実現可能な最小量に減らすため、図５を参照して、ＭＢＳＦＮにおけるＭＢＭＳ専用セルのすべてに単一のＴＡ−Ｉｄを割り当てることを回避することが提案される。ＭＢＳＦＮセルへのＴＡ−Ｉｄ割り当ては、１）ハイウェイまたは近辺などの高い移動性のエリアにおける１つまたは複数のセルに１つのＴＡ−Ｉｄ、および２）移動性の高くないエリアにおける１つのセルに１つのＴＡ−Ｉｄでなければならない。
【００５５】
また、以下のようにすることによって、ＭＢＭＳ専用セルと、ＭＢＭＳ専用セルの近くの、またはＭＢＭＳ専用セルと地理的に同じ場所に配置された非ＭＢＭＳ専用セルに同一のＴＡ−Ｉｄを割り当てることを回避することも、提案される。すなわち、ＭＢＭＳ専用セルに１つのＴＡ−Ｉｄ（ＭＢＭＳサービスＴＡ、または、例えば、ＴＡ−Ｉｄ−１）を割り当てること、および同じ場所に配置された非ＭＢＭＳ専用セルに別のＴＡ−Ｉｄ（通常のＴＡ、または、例えば、ＴＡ−Ｉｄ−１１）を割り当てること、ＷＴＲＵが、同じ場所に配置された非ＭＢＭＳ専用セル内にだけ存在する場合、ＷＴＲＵに通常のＴＡ−Ｉｄ（例えば、ＴＡ−Ｉｄ−１１）を割り当てること、またはＷＴＲＵが、ＭＢＭＳ専用セル２における複合ＭＢＭＳサービスエリア内でＭＢＭＳサービスに参加する場合、システムは、ＴＡＵ中、メッセージを受け付け、さらに図５に示される複数ＴＡ登録スキームによってＷＴＲＵに両方のＴＡ−Ｉｄ（ＭＢＭＳサービスＴＡ、例えば、ＴＡ−Ｉｄ−２、および通常のＴＡ、例えば、ＴＡ−Ｉｄ−１１）を割り当てること、である。
【００５６】
複数の登録スキームにおいて、２つの異なるＴＡ  ＩＤを有するＷＴＲＵは、複数のセル、ＭＢＭＳ専用セル、および非ＭＢＭＳ専用セルに登録することが可能である。ＴＡ更新（ＴＡＵ）は、参照により本明細書に組み込まれている特許文献１において説明される技術においてよく知られている。
【００５７】
その利点は、ＬＴＥ複数ＴＡ登録プロパティを所与として、ＷＴＲＵが、ページング応答、または周期的ＴＡＵなどの他の非ＭＢＭＳ動作のためにＭＢＭＳ専用セルと、同じ場所に配置された非ＭＢＭＳ専用セルとの間で切り換えを行う際、ＴＡＵを実行する必要がないことである。ここで、周期的ＴＡＵの間隔は、はるかに長い。
【００５８】
代替として、フィードバック機構、カウント手順、またはＴＡＵ、あるいはＭＢＭＳによってサポートされる他の同様なスキームを使用して、ネットワークが、ＷＴＲＵがＭＢＭＳ専用セル２におけるＭＢＭＳサービスの下にあることをフィードバックから知ることができ、したがって、ＭＢＭＳ専用セル２に最初にページングを行うことができるという点で、ページングが最適化されることが可能である。
【００５９】
システムページング負荷の低減をさらに促進する最適化スキームは、ネットワークページングエンティティにおいて、ＷＴＲＵ  ＭＭコンテキストが、ＷＴＲＵにＭＢＭＳサービスＴＡと非ＭＢＭＳサービスＴＡの両方が割り当てられることを示す場合、ＭＢＭＳサービスＴＡセルに最初にページングが行われるようになっている。
【００６０】
したがって、ＭＢＭＳサービスＴＡ−Ｉｄが、ＴＡ−Ｉｄまたは特殊なフラグの中のＰＬＭＮ−ＩＤ（公共陸上移動ネットワークＩＤ）構成要素の特殊なＭＮＣ（移動ネットワークコード）を使用することによって、ページングエンティティが区別することができるように、または認識することができるようにされる。
【００６１】
ＴＡ／セルアソシエーション上のシステム情報ブロードキャスト
ＴＡ／セルアソシエーションシステム情報は、ＭＢＭＳ専用セルシステム情報ブロードキャストに一意（unique）である。情報要素のこの部分は、１）ＭＢＭＳサービスＴＡ−ＩｄおよびそのメンバＭＢＭＳ専用セル−Ｉｄ、および２）同じ場所に配置された非ＭＢＭＳ専用セルの通常のＴＡ−Ｉｄおよびその関連するセルＩｄを含む。
【００６２】
専用ＭＢＭＳサービスの下におけるＷＴＲＵへのこれらのシステム情報パラメータの意味は、以下のとおりである。すなわち、現在のセル（ＭＢＭＳサービスＴＡの下にある）においてだけ着信ページング監視を実行すること、ＭＢＭＳサービスＴＡ−Ｉｄセルと通常のＴＡ−Ｉｄセルの間で、ＴＡＵが必要とされないこと（周期的ＴＡＵを除いて）、ＭＢＭＳサービスＴＡにおけるセルにＭＢＭＳ測定を実行すること、通常のＴＡにおけるセルに通常の測定を実行すること、および通常のＴＡの下の同じ場所に配置された非ＭＢＭＳ専用セルの１つにおいてだけ非ＭＢＭＳ動作を実行すること（ただし、当該動作には、ページング応答、ＴＡＵ、およびその他の必要なアクションが含まれる）、である。
【００６３】
非ＭＢＭＳ動作に関するシステム全体のＧＡＰスケジューリング
システム情報ブロードキャストは、ＭＢＳＦＮエリア内のＭＢＭＳ伝送は同期されているので、ＭＢＳＦＮのＭＢＭＳ専用セルに一意である、ＭＢＭＳ伝送ＧＡＰ情報を含むことが可能である。
【００６４】
ＭＢＳＦＮ全体のＭＢＭＳ専用セルＧＡＰスケジューリング情報は、ＭＢＳＦＮの範囲を有する。このことは、ＧＡＰスケジューリング情報は、各ＭＢＭＳ専用セル内で公開されるものの、一旦獲得されると、明示的な値タグ変更が存在しない限り、ＷＴＲＵが、ＭＢＳＦＮ内のシステム情報ブロックのこの部分／全体におけるスケジューリング情報を再び読み取らなくてもよいことを意味する。ＭＩＢ（管理情報ブロック）を介して最近獲得された値タグは、例えば、ＷＴＲＵメモリの中に現在格納されているＳＩＢが、古くなっていることを示す。
【００６５】
ＧＡＰは、すべてのＭＢＭＳサービス、ならびにこの特定のＭＢＳＦＮ領域からＭＢＭＳサービスを受信するすべてのＷＴＲＵに適用される。
【００６６】
ＧＡＰは、通常のセルのいずれかにおいて非ＭＢＭＳ動作を実行するようにＷＴＲＵに与えられる。
【００６７】
ＭＢＭＳ専用セルＧＡＰ情報は、以下であるＧＡＰパターン記述を含む。すなわち、１）ＬＴＥフレームのＧＡＰ開始フレーム番号（ＬＴＥフレーム０と関係する）、さらにフレーム内のサブフレーム番号であることが可能である、２）ＬＴＥフレーム単位、またはＬＴＥサブフレーム単位のＧＡＰ長、ＬＴＥフレームより長いＧＡＰ長、および複数のＬＴＥフレーム（完全または部分的な）にわたるＧＡＰスパンが、可能である、３）ＧＡＰパターンを形成するＬＴＥフレームに関する繰り返し周期長、および４）複数のＧＡＰパターンが、可能である。デフォルトで、後続のパターンは、ラウンドロビン型で先行するパターンの後に生じる。代替として、これらのパターンは、ある時間範囲において指定されてもよい。また、ＭＢＭＳ専用セルＧＡＰ情報は、世界時と関係する（すなわち、あるＧＭＴ時まで有効、またはＳＩＢ変更まで有効）絶対有効タイムスパン、または１日（平日／週末）の間の相対的時間範囲を含むＧＡＰパターン一般有効タイムスパン記述も含み、さらにいずれの特定のパターンが使用されるべきかを示すことが可能である。
【００６８】
測定関連のシステム情報
ＷＴＲＵは、ＭＢＳＦＮエリアにおいてＭＢＭＳサービスを受信するためにＭＢＭＳ専用セルにアクセスする際、ＬＴＥ＿Ｉｄｌｅモードになっているので、ＷＴＲＵ測定は、セル再選択のためだけのものであり、特に、可能な場合、別のＭＢＭＳ専用セルを再選択するためのものである。
【００６９】
したがって、ＭＢＭＳサービスを受けるＷＴＲＵと関係する測定活動（activity）は、以下を含む。すなわち、
ＲＳＲＰ（retrieve state reply：取り出し状態応答）および／またはＢＬＥＲ（ブロック誤り率）を介して、現在のＭＢＭＳ専用セル上でＭＢＭＳ受信を測定すること。ＭＢＭＳ測定に関する測定レポートは、ＴＡＵメッセージに付加されることが可能であり、あるいは測定された値が、ＷＴＲＵがＬＴＥ＿Ｉｄｌｅモードにある場合でさえ、ＭＢＭＳ伝送問題を示すある閾値を上回る、または下回る場合、直接に報告されることが可能である。  
ＲＳＲＰに関して、関連する通常のＴＡ内の非ＭＢＭＳ専用セルを測定すること。ＲＳＲＱ（retrieve state request：取り出し状態要求）が、測定されることも可能であり、測定が、所与の閾値を下回る（非ＭＢＭＳ専用セルによって指定された閾値に基づいて）場合、ＷＴＲＵは、新たな非ＭＢＭＳセルに関するスキャンを開始し、セル再選択の準備をする。
【００７０】
測定のためのシステム情報ブロードキャストパラメータは、以下を含む。すなわち、ＭＢＳＦＮ、ＢＬＥＲ、ＲＳＲＰの範囲内のＭＢＭＳ固有の測定に関する閾値、特殊なＭＢＭＳ測定イベントに関する閾値などの測定レポートパラメータ。これらの閾値は、ｄＢｍ単位、ｄＢ単位の「ヒステリシス」値、およびミリ秒単位で与えられる「トリガまでの時間」値であることが可能である。
【００７１】
ＬＴＥ  ＭＢＭＳ専用セルにおけるシステム情報ブロック編成
ＭＢＭＳ専用セルが、アップリンクチャネルをまったく有さず、ＭＢＭＳ関連のサービスだけを提供することから、ＭＢＭＳ専用セルにおけるシステム情報ブロードキャストは、通常のＬＴＥセルによるシステム情報ブロードキャストと比べて、量が大幅に減らされ、システム情報内容変更の点ではるかに静的である。
【００７２】
システム情報ブロードキャストがより低い強度であることは、１次ブロードキャストチャネルだけしか要求せず、セルに関する動的ブロードキャストチャネルをまったく要求しない単純化されたブロードキャスト構造をもたらし、したがって、フラットなＢＣＨ（中心１．２５ＭＨｚにおける、Ｄ−ＢＣＨのない）が、表１に示される、以下のタイプのシステム情報ブロードキャストの大半で非常に稀に使用されることが可能である。
【００７３】
【表１】
2010525759.tif 000003
【００７４】
（１）ＭＩＢ（管理情報ブロック）パラメータ
そのセルがＭＢＭＳ専用セルであるという表示（indication）を与える（１ビット）
セルｉｄおよびＴＡ−ｉｄ
ＭＢＳＦＮ−Ｉｄ
１次ＰＬＭＮ−ＩＤのみ（ネットワーク共有のための他のＰＬＭＮ−Ｉｄなし）
ＳＵ（スケジューリングユニット）、すなわち、スケジューリング情報タイプは、現在のＳＩＢ（システム情報ブロック）ブロードキャスト組合せ（標準におけるＭＢＭＳ専用セルにおけるＳＩＢブロードキャストに関する異なるスケジュール組合せ、さらにいずれの組合せであるかを番号で示す）のタイプを示す。
【００７５】
（２）ＭＢＭＳセル固有−ＭＣＨ構成
スクランブル／チャネル符号、ダイバーシチ情報、チャネルタイミング情報などのＭＣＨパラメータまたは均等の物理チャネルパラメータ
ＭＣＣＨ構成パラメータ
ＭＢＭＳサービス情報を有するＭＴＣＨ構成
【００７６】
（３）ＭＢＭＳセル固有−ＴＡ／セルアソシエーションブロック
前述の段落［００６９］から［００７１］までを参照されたい。
【００７７】
（４）ＭＢＭＳセル固有−ページング関連のパラメータブロック
前述の段落［００５５］から［００５７］までを参照されたい。
【００７８】
（５）ＭＢＭＳセル固有−ＧＡＰパターンブロック
前述の段落［００７７］を参照されたい。
【００７９】
（６）ＭＢＭＳセル固有−ＭＢＭＳ測定パラメータ
前述の段落［００７８］から［００８１］までを参照されたい。
【００８０】
システム情報の前述の２つのカテゴリ（すなわち、ＭＢＭＳセル固有−ＧＡＰパターンブロックおよびＭＢＭＳ測定パラメータ）が、所望される場合、組み合わされることが可能である。
【００８１】
これらの特徴および要素は、特定の組合せで説明されるものの、各特徴、または各要素は、好ましい実施形態の他の特徴、および他の要素を伴わずに単独で、あるいは他の特徴、および他の要素を伴って、または伴わずに様々な組合せで使用されることも可能であることを理解されたい。これらの方法またはフローチャートは、汎用コンピュータまたはプロセッサによって実行されるようにコンピュータ可読記憶媒体として実体化されたコンピュータプログラム、ソフトウェア、またはファームウェアにおいて実施されることが可能である。コンピュータ可読記憶媒体の例には、ＲＯＭ（読み取り専用メモリ）、ＲＡＭ（ランダムアクセスメモリ）、レジスタ、キャッシュメモリ、半導体メモリデバイス、内蔵ハードディスクやリムーバブルディスクなどの磁気媒体、光磁気媒体、ならびにＣＤ−ＲＯＭディスクおよびＤＶＤ（デジタルバーサタイルディスク）などの光媒体が含まれる。
【００８２】
適切なプロセッサには、例えば、汎用プロセッサ、専用プロセッサ、従来のプロセッサ、ＤＳＰ（デジタルシグナルプロセッサ）、複数のマイクロプロセッサ、ＤＳＰコアに関連する１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）、および／または状態マシンが含まれる。
【００８３】
ソフトウェアに関連してプロセッサを使用して、ＷＴＲＵ（無線送受信ユニット）、ＵＥ（ユーザ機器）、端末装置、基地局、ＲＮＣ（無線ネットワークコントローラ）、または任意のホストコンピュータにおいて使用するための無線周波数トランシーバが実施されることが可能である。ＷＴＲＵは、カメラ、ビデオカメラモジュール、テレビ電話機、スピーカフォン、振動デバイス、スピーカ、マイクロホン、テレビトランシーバ、ハンズフリーヘッドセット、キーボード、Ｂｌｕｅｔｏｏｔｈ（登録商標）モジュール、ＦＭ（周波数変調）無線ユニット、ＬＣＤ（液晶ディスプレイ）ディスプレイユニット、ＯＬＥＤ（有機発光ダイオード）ディスプレイユニット、デジタル音楽プレーヤ、メディアプレーヤ、ビデオゲームプレーヤモジュール、インターネットブラウザ、および／または任意のＷＬＡＮ（無線ローカルエリアネットワーク）モジュールなどの、ハードウェアおよび／またはソフトウェアで実施されたモジュールと併せて使用されることが可能である。
【００８４】
実施形態
１．マルチメディア信号を受信するように構成されたＷＴＲＵ（無線送受信ユニット）。
【００８５】
２．マルチキャスト信号、ユニキャスト信号、またはマルチキャスト信号とユニキャスト信号とを含む混成信号を受信するようにさらに構成された実施形態１のＷＴＲＵ。
【００８６】
３．マルチメディア信号が、ＭＢＭＳ（マルチキャストブロードキャストマルチメディア信号）である前述の実施形態のいずれか一実施形態におけるＷＴＲＵ。
【００８７】
４．ＭＢＭＳ信号を受信することと、混成信号を受信することの間で切り換わるようにさらに構成される前述の実施形態のいずれか一実施形態におけるＷＴＲＵ。
【００８８】
５．ＭＢＭＳ信号を受信することと、混成信号を受信することの間で切り換わる最適な時間を決定するようにさらに構成される前述の実施形態のいずれか一実施形態におけるＷＴＲＵ。
【００８９】
６．適応型のパターンまたは半静的なパターンで、ＭＢＭＳ信号を受信することと、混成信号を受信することの間で切り換わるようにさらに構成される前述の実施形態のいずれか一実施形態におけるＷＴＲＵ。
【００９０】
７．非ＭＢＭＳプロセスに関するスケジューリングギャップ中に、ＭＢＭＳ信号を受信することと、混成信号を受信することの間で切り換わるようにさらに構成される前述の実施形態のいずれか一実施形態におけるＷＴＲＵ。
【００９１】
８．スケジュールされたギャップ間隔中に非ＭＢＭＳプロセスを実行するようにさらに構成される前述の実施形態のいずれか一実施形態におけるＷＴＲＵ。
【００９２】
９．非ＭＢＭＳプロセスは、隣接セル測定およびＴＡ（トラッキング・エリア）更新を実行することを含む前述の実施形態のいずれか一実施形態におけるＷＴＲＵ。
【００９３】
１０．アップリンク報告の頻度は、ＷＴＲＵ移動性、ＷＴＲＵ軌跡、またはＷＴＲＵ位置に依存する前述の実施形態のいずれか一実施形態におけるＷＴＲＵ。
【００９４】
１１．ギャップ間隔中に移動性を示すようにさらに構成される前述の実施形態のいずれか一実施形態におけるＷＴＲＵ。
【００９５】
１２．ＷＴＲＵ移動性に基づいて、使用されるギャップ間隔を決定するようにさらに構成される前述の実施形態のいずれか一実施形態におけるＷＴＲＵ。
【００９６】
１３．使用されるギャップ間隔の頻度をリアルタイムで適応的に調整するようにさらに構成される前述の実施形態のいずれか一実施形態におけるＷＴＲＵ。
【００９７】
１４．ＷＴＲＵ移動性が低い場合、測定または更新を実行しないようにさらに構成される前述の実施形態のいずれか一実施形態におけるＷＴＲＵ。
【００９８】
１５．次に利用可能なギャップ間隔中にネットワークにＷＴＲＵ移動性を報告するようにさらに構成される前述の実施形態のいずれか一実施形態におけるＷＴＲＵ。
【００９９】
１６．ギャップ間隔使用に関してネットワークから命令を受信するようにさらに構成される前述の実施形態のいずれか一実施形態におけるＷＴＲＵ。
【０１００】
１７．ネットワークから受信される命令は、ＭＢＭＳ信号と混成信号の間の切り換えを実行し、さらに測定および更新を実行するのにＷＴＲＵが使用することができるギャップの数を含む前述の実施形態のいずれか一実施形態におけるＷＴＲＵ。
【０１０１】
１８．ネットワーク信号に基づいて切り換えを実行するようにさらに構成される前述の実施形態のいずれか一実施形態におけるＷＴＲＵ。
【０１０２】
１９．ネットワークにステータス変更を報告するようにさらに構成される前述の実施形態のいずれか一実施形態におけるＷＴＲＵ。
【０１０３】
２０．報告されるステータス変更は、新たなギャップ間隔情報をトリガする前述の実施形態のいずれか一実施形態におけるＷＴＲＵ。
【０１０４】
２１．ギャップ間隔中に移動性を示すようにさらに構成される前述の実施形態のいずれか一実施形態におけるＷＴＲＵ。
【０１０５】
２２．ＷＴＲＵ位置に基づいて、使用されるギャップ間隔を決定するようにさらに構成される前述の実施形態のいずれか一実施形態におけるＷＴＲＵ。
【０１０６】
２３．ＷＴＲＵ位置に基づいて、低い頻度でＭＢＭＳ信号と混成信号の間で切り換わるようにさらに構成される前述の実施形態のいずれか一実施形態におけるＷＴＲＵ。
【０１０７】
２４．切り換わる際にＷＴＲＵが実行すべき測定を含むブロードキャスト情報を受信するようにさらに構成される前述の実施形態のいずれか一実施形態におけるＷＴＲＵ。
【０１０８】
２５．複数のＭＢＭＳ専用セルを含むＴＡにページングメッセージを送信するようにさらに構成される前述の実施形態のいずれか一実施形態におけるＷＴＲＵ。
【０１０９】
２６．ＰＣＨ（ページングチャネル）上でページングメッセージを送信するようにさらに構成される実施形態２５に記載のＷＴＲＵ。
【０１１０】
２７．ページングメッセージは、関連する隣接セル情報および応答セル情報を含む実施形態２５〜２６のいずれか一実施形態におけるＷＴＲＵ。
【０１１１】
２８．特定のＴＡ内でだけ関連する隣接セル情報および応答セル情報を送信するようにさらに構成される前述の実施形態のいずれか一実施形態におけるＷＴＲＵ。
【０１１２】
２９．第１のＴＡおよび第２のＴＡを受け入れるようにさらに構成される前述の実施形態のいずれか一実施形態におけるＷＴＲＵ。
【０１１３】
３０．第１のＴＡは、ＭＢＭＳ専用セルに関連付けられ、さらに第２のＴＡは、ＭＢＭＳ専用セルと地理的に同じ場所に配置された混成セルに関連付けられる前述の実施形態のいずれか一実施形態におけるＷＴＲＵ。
【０１１４】
３１．トラッキング・エリア更新を生じさせずにＭＢＭＳ専用セルと混成セルの間で切り換わるＷＴＲＵをさらに含む実施形態３０におけるＷＴＲＵ。
【０１１５】
３２．ネットワークＭＭＥは、ＷＴＲＵにＭＢＭＳ−ＴＡ  ＩＤ（識別子）を割り当てることをさらに含む１つのセルだけを範囲に含むＭＢＭＳ−ＴＡにページングメッセージを送信するように構成される前述の実施形態のいずれか一実施形態におけるＷＴＲＵ。
【０１１６】
３３．ネットワークＭＭＥは、必要な場合、複数のＴＡにページングメッセージを送信するようにさらに構成される実施形態３０〜３２のいずれか一実施形態におけるＷＴＲＵ。
【０１１７】
３４．ネットワークからページング情報を受信するようにさらに構成される実施形態３０〜３３のいずれか一実施形態におけるＷＴＲＵ。
【０１１８】
３５．ＷＴＲＵ移動性、ＷＴＲＵ軌跡、またはＷＴＲＵ位置に基づいてＴＡページング情報を決定するようにさらに構成される前述の実施形態３０〜３４のいずれか一実施形態におけるＷＴＲＵ。
【０１１９】
３６．ネットワークからＴＡページング情報を受信するようにさらに構成されるＷＴＲＵであって、ネットワークは、ＷＴＲＵ移動性、ＷＴＲＵ軌跡、またはＷＴＲＵ位置に基づいて、ページング情報を決定するように構成される実施形態３０〜３５のいずれか一実施形態におけるＷＴＲＵ。
【０１２０】
３７．ＴＡの端部に向かうＷＴＲＵの動きに基づいて、ネットワークからページング情報を受信するようにさらに構成される実施形態３０〜３６のいずれか一実施形態におけるＷＴＲＵ。
【０１２１】
３８．セル識別子と、トラッキング・エリア識別子とを含むシステム情報ブロードキャストを受信するようにさらに構成される実施形態３０〜３７のいずれか一実施形態におけるＷＴＲＵ。
【０１２２】
３９．セル識別子を含むＰＣＨ（ページングチャネル）メッセージを受信し、このセル識別子にメッセージを送信するように混成セルに切り換え、さらにハンドオーバのための隣接セル測定を実行するようにさらに構成される前述の実施形態のいずれか一実施形態におけるＷＴＲＵ。
【０１２３】
４０．キャンプオンすべきセルを決定するのにＷＴＲＵによって使用される情報を含むアクセス情報を含むＰＣＨメッセージを受信するようにさらに構成される前述の実施形態のいずれか一実施形態におけるＷＴＲＵ。
【０１２４】
４１．指定されたセルにキャンプオンした後、測定プロセスを開始するようにさらに構成される実施形態４０に記載のＷＴＲＵ。
【０１２５】
４２．指定されたセルにキャンプオンした後、ＲＡＣＨ（ランダムアクセスチャネル）プロセスおよびＲＲＣ（無線リソース制御）接続プロセスを開始するようにさらに構成される実施形態３９〜４１のいずれか一実施形態におけるＷＴＲＵ。
【０１２６】
４３．ＰＣＨメッセージの中に含まれるＲＡＣＨシグネチャを読み取るようにさらに構成される実施形態４２におけるＷＴＲＵ。
【０１２７】
４４．ＲＡＣＨシグネチャは、専用リソース割り当て情報またはランダムリソース割り当て情報をさらに含む実施形態４２〜４３のいずれか一実施形態におけるＷＴＲＵ。
【０１２８】
４５．ＭＢＭＳ信号から混成信号またはユニキャスト信号に切り換わると、高優先度アプリケーション固有のコマンドセットを使用するようにさらに構成される前述の実施形態４２〜４３のいずれか一実施形態におけるＷＴＲＵ。
【０１２９】
４６．ＬＴＥノードによって使用されるページングのための方法であって、ＰＩ（ページング標識）の中で識別されるＷＴＲＵ（無線送受信ユニット）に対する着信呼の存在をＷＴＲＵに示すページング標識を、各ＬＴＥフレームの特定のサブフレームの中で送信すること、およびＷＴＲＵに対するＰＩを含むフレームの後に続いて、識別されたＷＴＲＵに命令を与えるページングレコードをＬＴＥフレームの中で送信することを含む方法。
【０１３０】
４７．ＰＩは、グループのメンバであるＷＴＲＵを識別するグループＩＤ（識別子）を含む前述の実施形態のいずれかにおける方法。
【０１３１】
４８．前のフレームのＰＩによって識別されるＬＴＥフレームの別の部分を形成するページングメッセージブロックの中の厳密なＷＴＲＵ−ＩＤをさらに含む前述の実施形態のいずれかにおける方法。
【０１３２】
４９．ＰＩ、およびＰＩに関連付けられたページングメッセージブロックが、異なる頻度で送信される前述の実施形態のいずれかにおける方法。
【０１３３】
５０．ＰＩの頻度は、ＰＩに関連付けられたページングメッセージブロックの頻度より高い前述の実施形態のいずれかにおける方法。
【０１３４】
５１．ＰＩの頻度は、ＰＩに関連付けられたページングメッセージブロックの頻度より低い前述の実施形態のいずれかにおける方法。
【０１３５】
５２．ページングは、ＭＢＭＳ（マルチメディア放送／マルチキャスト・サービス）専用セルにおいて実行される前述の実施形態のいずれかにおける方法。
【０１３６】
５３．ＭＢＭＳ専用セルは、ＰＩとページングメッセージブロックの両方に関して単一のページングチャネルを使用する前述の実施形態のいずれかにおける方法。
【０１３７】
５４．ＭＢＭＳ（マルチメディア放送／マルチキャスト・サービス）を受信するためにＷＴＲＵによって使用される方法であって、各ＬＴＥフレームの１つの部分の中にページング標識をそれぞれが有し、さらに各フレームの他の部分の中にページングメッセージをそれぞれが有するＬＴＥフレームから成るページングチャネルを受信すること、所与のフレームの中にＰＩを符号化すること、ＷＴＲＵを識別する際に、前記所与のフレームの後に続いて、フレームの中でページングメッセージを受信すること、ページングメッセージの中でページングレコードによって示されるセルに切り換わること、およびページング応答を送信することを含む前述の実施形態のいずれかにおける方法。
【０１３８】
５５．専用ＢＣＨ（ブロードキャストチャネル）の必要性をなくすようにフラットなＢＣＨ構造を有するＭＢＭＳ（マルチメディア放送／マルチキャスト・サービス）専用セルが、単一のページングチャネルを介してＰＩ（ページング標識）およびページングメッセージブロックを送信するため、およびユニキャストＭＢＭＳサービスチャネルをページングするために異なるチャネルを使用するためのユニットを含み、ページングチャネルは、ＷＴＲＵにシステム情報変更情報を伝えるように構成される前述の実施形態のいずれかにおける方法。
【０１３９】
５６．ページングチャネルは、物理層パラメータを含む特定のパラメータを供給する前述の実施形態のいずれかにおける方法。
【０１４０】
５７．物理層パラメータは、電力オフセット、チャネル符号化、送信ダイバーシチ情報、およびアンテナ情報を含む前述の実施形態のいずれかにおける方法。
【０１４１】
５８．ページング標識は、フレーム内のサブフレームオフセットとＮサブフレームによって表されるページング標識長のいずれかを含む前述の実施形態のいずれかにおける方法。
【０１４２】
５９．ページング標識情報は、ページング標識内部割り当てビット構成をさらに含み、この情報は、ページング標識内部割り当てビット構成、それぞれの異なるページング機会に関するＰＩ−ＲＮＴＩ（ページング標識無線ネットワーク一時ＩＤ）情報のいずれかを含む前述の実施形態のいずれかにおける方法。
【０１４３】
６０．ページングメッセージブロックは、サブキャリアの最大数、およびページングレコードの最大数を含む関連情報を供給する前述の実施形態のいずれかにおける方法。
【０１４４】
６１．ページング標識情報は、ページング標識内部割り当てビット構成をさらに含み、この情報は、ページング標識内部割り当てビット構成、それぞれの異なるページング機会に関するＰＩ−ＲＮＴＩ（ページング標識無線ネットワーク一時ＩＤ）情報のいずれかを含む前述の実施形態のいずれかにおける方法。
【０１４５】
６２．ＲＲＣ（無線リソース制御）接続時にＷＴＲＵに割り当てられる現在のＤＲＸ（不連続受信）サイクルの代わりに、システム情報の一部として供給される一様なＤＲＸサイクルを送信することをさらに含む前述の実施形態のいずれかにおける方法。
【０１４６】
６３．ＭＢＭＳＦＮ（ＭＢＭＳ同期伝送ネットワーク）内の少なくとも１つのＭＢＭＳ専用セルを有するＭＢＭＳ（マルチメディア放送／マルチキャスト・サービス）にＴＡ−ＩＤ（トラッキング・エリアＩＤ）を割り当てるための方法であって、移動性の高いエリア内のセルに、所与のＴＡ−ＩＤが割り当てられ、移動性の高くないエリア内のセルに、異なるＴＡ−ＩＤが与えられるようにＴＡ−ＩＤを割り当てることを含む前述の実施形態のいずれかにおける方法。
【０１４７】
６４．少なくとも２つのＭＢＭＳ専用セルは、ＭＢＭＳＦＮと、前記ＭＢＭＳＦＮにおける前記ＭＢＭＳ専用セルの少なくとも１つと地理的に同じ場所に配置された非ＭＢＭＳ専用セルとを必要とする方法であって、非ＭＢＭＳ専用セルと地理的に同じ場所に配置されたＭＢＭＳ専用セルに所与のＴＡ−ＩＤ、さらに同じ場所に配置された非ＭＢＭＳ専用セルに前記所与のＴＡ−ＩＤとは異なる別のＴＡ−ＩＤを割り当てることを含む前述の実施形態のいずれかにおける方法。
【０１４８】
６５．前記通常のＴＡ−ＩＤは、同じ場所に配置された非ＭＢＭＳ専用セルの１つのセル内だけに位置していると識別されたＷＴＲＵに割り当てられる前述の実施形態のいずれかにおける方法。
【０１４９】
６６．複数のＭＢＭＳ専用セルと、前記ＭＢＭＳ専用セルの１つと地理的に同じ場所に配置された複数の非ＭＢＭＳ専用セルとを有するＭＢＭＳＦＮにおいて不必要なページングを減らすために使用される方法であって、ＴＡＵ（トラッキング・エリア更新）を実行すると、前記非ＭＢＭＳ専用セルと同じ場所に配置されたＭＢＭＳ専用セルにＴＡ−ＩＤを割り当て、さらにＷＴＲＵに通常のＴＡ−ＩＤに割り当てて、ＷＴＲＵが、ＴＡＵを実行して、ページング応答のために同じ場所に配置されたセルのいずれか１つから切り換わるとともに、周期的ＴＡＵを含む他のＭＢＭＳ動作を実行する必要性をなくす前述の実施形態のいずれかにおける方法。
【０１５０】
６７．ネットワークは、ＭＢＭＳ専用セルと、非ＭＢＭＳ専用セルとを有する、ページングを割り当てるための方法であって、ＷＴＲＵからのトラッキング・エリア更新中に、ＷＴＲＵが、ＭＢＭＳ専用セルからＭＢＭＳサービスを獲得していることを特定して、前述のＭＢＭＳ専用セルにページングを割り当てることを含む前述の実施形態のいずれかにおける方法。
【０１５１】
６８．ＭＢＭＳ専用セルと、非ＭＢＭＳ専用セルとを有するネットワークにおける、ページングオーバヘッドを小さくするための方法であって、ページングエンティティにおいてＷＴＲＵのＷＴＲＵ−ＭＭコンテキストを特定し、さらに、ＷＴＲＵ−ＭＭコンテキストが、ＷＴＲＵにＭＢＭＳサービスＴＡ（ターゲットエリア）および非ＭＢＭＳサービスＴＡが割り当てられていることを示すことを特定すると、ＭＢＭＳサービスＴＡセルを介してページング優先度を割り当てることを含む前述の実施形態のいずれかにおける方法。
【０１５２】
６９．ＭＢＭＳサービスＴＡ−ＩＤは、ＴＡ−ＩＤ内のＰＬＭＮ−ＩＤ（公共陸上移動ネットワークＩＤ）構成要素の特殊なＭＮＣ（移動ネットワークコード）と特殊なフラグのいずれかを使用することによる前述の実施形態のいずれかにおける方法。
【０１５３】
７０．システムによって使用されるため、またはＭＢＭＳ専用セルと関係するトラッキング・エリアおよびセルアソシエーション情報を提供するための方法であって、ＭＢＭＳサービスに関するＴＡ−ＩＤ、およびＭＢＭＳサービスのメンバであるＭＢＭＳ専用セルに関するＩＤ、ＭＢＭＳ専用セルと地理的に同じ場所に配置された非ＭＢＭＳ専用セルに関する通常のＴＡ−ＩＤ、および各非ＭＢＭＳ専用セルの関連するセルＩＤをブロードキャストすることを含む前述の実施形態のいずれかにおける方法。
【０１５４】
７１．専用ＭＢＭＳサービスの下でＷＴＲＵによって使用される方法であって、ＷＴＲＵを現在サポートしており、さらにＭＢＭＳサービスＴＡの下にあるセルにおいてだけ着信ページング監視を実行すること、ＭＢＭＳサービスＴＡ内のセルにＭＢＭＳ測定を実行すること、通常のＴＡ内のセルに通常の測定を実行すること、および通常のＴＡの下にある同じ場所に配置された非ＭＢＭＳ専用セルの１つに対してだけ非ＭＢＭＳ動作を実行することを含む前述の実施形態のいずれかにおける方法。
【０１５５】
７２．ＭＢＭＳ動作は、ページング応答、ＴＡＵ（トラッキング・エリア更新）を含む前述の実施形態のいずれかにおける方法。
【０１５６】
７３．ＭＢＭＳサービスを受信する少なくとも１つのＷＴＲＵに、ＭＢＭＳサービスに関するギャップスケジューリング情報を供給するための方法であって、ＬＴＥフレームの開始フレーム番号、ＬＴＥフレーム単位の長さ、およびＬＴＥフレーム数の点における繰り返し周期長を含む（ＧＡＰ）情報を供給することによって、ＷＴＲＵが、任意の非ＭＢＭＳセルにおいて非ＭＢＭＳ動作を実行するギャップを供給することを含む前述の実施形態のいずれかにおける方法。
【０１５７】
７４．開始フレーム番号を供給することは、フレーム内のサブフレーム番号を供給することをさらに含む前述の実施形態のいずれかにおける方法。
【０１５８】
７５．ＬＴＥフレーム単位でＧＡＰ長を供給することは、ＬＴＥサブフレーム単位数を供給することをさらに含む前述の実施形態のいずれかにおける方法。
【０１５９】
７６．ＧＡＰ長は、ＬＴＥフレームより長い前述の実施形態のいずれかにおける方法。
【０１６０】
７７．ＧＡＰ長は、部分的フレームを含む前述の実施形態のいずれかにおける方法。
【０１６１】
７８．少なくとも２つの異なるＧＡＰパターンが供給され、さらに前記ＧＡＰパターンは、交互に実行される前述の実施形態のいずれかにおける方法。
【０１６２】
７９．少なくとも２つの異なるＧＡＰパターンが供給され、さらに前記ＧＡＰパターンは、ラウンドロビン型で実行される前述の実施形態のいずれかにおける方法。
【０１６３】
８０．ＧＡＰパターン長は、世界時に基づく絶対長である前述の実施形態のいずれかにおける方法。
【０１６４】
８１．ＧＡＰパターン長は、１日の間の相対的時間範囲に基づく絶対長である前述の実施形態のいずれかにおける方法。
【０１６５】
８２．ＭＢＭＳ専用セルによるＷＴＲＵサービスによる測定活動を実行するための方法であって、ＲＳＲＰ（取り出し状態応答）とＢＬＥＲ（ブロック誤り率）のいずれかによって、ＷＴＲＵにサービス提供するＭＢＭＳ専用セル上のＭＢＭＳ受信を測定することを含む前述の実施形態のいずれかにおける方法。
【０１６６】
８３．測定された値が、所与の閾値を外れてＭＢＭＳ伝送問題を示す場合、ＴＡ更新メッセージにＭＢＭＳ測定を付加して、この測定を直接に報告することをさらに含む前述の実施形態のいずれかにおける方法。
【０１６７】
８４．ＲＳＲＰ（取り出し状態応答）に関して、関連する通常のＴＡ内の非ＭＢＭＳ専用セルを測定することをさらに含む前述の実施形態のいずれかにおける方法。
【０１６８】
８５．ＲＳＲＱ（取り出し状態要求）を測定することによって、関連する通常のＴＡ内の非ＭＢＭＳ専用セルを測定することをさらに含む前述の実施形態のいずれかにおける方法。
【０１６９】
８６．ＷＴＲＵは、測定が所与の閾値を下回っている場合、新たな非ＭＢＭＳセルを探すスキャンを開始する前述の実施形態のいずれかにおける方法。
【０１７０】
８７．閾値は、ＢＬＥＲおよびＲＳＲＰを含み、さらに測定レポートパラメータは、特殊なＭＢＭＳ測定イベント閾値を含むことが可能である前述の実施形態のいずれかにおける方法。
【図１】
2010525759.tif 000004
【図２】
2010525759.tif 000005
【図３】
2010525759.tif 000006
【図４】
2010525759.tif 000007
【図５】
2010525759.tif 000008
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
ＬＴＥノードによって使用されるページングのための方法であって、
ＰＩ（ページング標識）の中で識別されるＷＴＲＵ（無線送受信ユニット）に対する着信呼の存在をＷＴＲＵに示す該ＰＩ（ページング標識）を、各ＬＴＥフレームの特定のサブフレームの中で送信するステップと、
前記ＷＴＲＵに対するＰＩ（ページング標識）を含む前記フレームの後に続いて、前記識別されたＷＴＲＵに命令を与えるページングレコードをＬＴＥフレームの中で送信するステップであって、前記ページングは、ＭＢＭＳ（マルチメディア放送／マルチキャスト・サービス）専用セルにおいて実行されるステップと
を含むことを特徴とする方法。
【請求項２】
前記ＰＩ（ページング標識）は、グループのメンバであるＷＴＲＵを識別するグループＩＤ（識別子）を含むことを特徴とする請求項１に記載の方法。
【請求項３】
前記ＭＢＭＳ専用セルは、ＰＩ（ページング標識）とページングレコードブロックの両方に関して単一のページングチャネルを使用することを特徴とする請求項１に記載の方法。
【請求項４】
ＭＢＭＳ（マルチメディア放送／マルチキャスト・サービス）専用セルによって使用される方法であって、
単一のＰＣＨ（ページングチャネル）を介してＷＴＲＵ（無線送受信ユニット）にＰＩ（ページング標識）およびページングレコードブロックを送信するステップと、
ユニキャストＭＢＭＳサービスをページングするために異なるチャネルを使用するステップと
を含み、
前記ページングチャネルは、前記ＷＴＲＵにシステム変更情報を伝えるように構成されることを特徴とする方法。
【請求項５】
前記ページングチャネルは、物理層パラメータを供給することを特徴とする請求項４に記載の方法。
【請求項６】
前記物理層パラメータは、電力オフセット、チャネル符号化、送信ダイバーシチ情報、およびアンテナ情報を含むことを特徴とする請求項５に記載の方法。
【請求項７】
前記ページング標識は、フレーム内のサブフレームオフセットとＮサブフレームによって表されるページング標識長の少なくとも一つを含むことを特徴とする請求項４に記載の方法。
【請求項８】
前記ページング標識は、ページング標識内部割り当てビット構成、および各ページング機会に関するＰＩ−ＲＮＴＩ（ページング標識無線ネットワーク一時ＩＤ）情報の少なくとも一つをさらに含むことを特徴とする請求項７に記載の方法。
【請求項９】
測定アクティビティを実行するためにＭＢＭＳ（マルチメディア放送／マルチキャスト・サービス）専用セルによるサービスを受けるＷＴＲＵ（無線送受信ユニット）によって使用される方法であって、
ＲＳＲＰ（取り出し状態応答）とＢＬＥＲ（ブロック誤り率）のいずれか一つを使用して、前記ＭＢＭＳ専用セル上のＭＢＭＳ受信品質を測定するステップと、
前記測定された値が、事前定義された閾値を外れてＭＢＭＳ伝送問題を示す場合、ＴＡ（トラッキング・エリア）更新メッセージにＭＢＭＳ測定を付加して、該測定を直接に報告するステップと
を含むことを特徴とする方法。
【請求項１０】
前記ＲＳＲＰに関して、関連する通常のＴＡ内の非ＭＢＭＳ専用セルを測定するステップをさらに含むことを特徴とする請求項９に記載の方法。
【請求項１１】
ＲＳＲＱを測定することによって、前記関連する通常のＴＡ内の前記非ＭＢＭＳ専用セルを測定するステップをさらに含むことを特徴とする請求項１０に記載の方法。
【請求項１２】
前記ＷＴＲＵは、前記測定が事前定義された閾値を下回っている場合、新たな非ＭＢＭＳセルを探すスキャンを開始することを特徴とする請求項９に記載の方法。
【国際調査報告】
2010525759.tif 000009
2010525759.tif 000010
2010525759.tif 000011
2010525759.tif 000012
2010525759.tif 000013
2010525759.tif 000014
2010525759.tif 000015
2010525759.tif 000016
2010525759.tif 000017
2010525759.tif 000018